(57)【要約】【課題】高度差のある畦の全体法面を、安い造成コストで短工期にて補強すると共に、従来の土堤や石垣の様に農村の景観にも調和する畦の補強構造、および畦補強用軽量モルタルを提供する。【解決手段】真砂土６００〜８００、ポルトランドセメント２００〜３５０、軽量骨材１００〜１５０、土壌硬化剤１９〜２２、水１６０〜２００、以上各重量部からなる配合比の軽量モルタル１０、並びに畦１の表面に補強金網８を敷き、この補強金網８をアンカー９を打設して固定し、前記軽量モルタル１０で前記補強金網８及び前記アンカー９の全表面を覆う畦の補強構造。【選択図】　　　　図１
2004052528.tif 000002
【特許請求の範囲】
【請求項１】
真砂土６００〜８００、ポルトランドセメント２００〜３５０、軽量骨材１００〜１５０、土壌硬化剤１９〜２２、水１６０〜２００、以上各重量部からなる配合比を特徴とする畦補強用軽量モルタル。
【請求項２】
畦の全表面に敷設された補強金網と、この補強金網を固定するアンカーと、前記補強金網および前記アンカーの全表面を覆う請求項１畦補強用軽量モルタルとを備えたことを特徴とする畦の補強構造。
【請求項３】
高度差を有する隣接する耕地を仕切る畦において、上段側耕地より掘下げて形成された上段側溝から上段側法面部、頂面部、下段側法面部を経て下段止水溝に至る全表面に、請求項２記載の構造を適用したことを特徴とする畦の補強構造。
【発明の詳細な説明】
【０００１】
【発明の属する技術分野】
本発明は、田畑等の耕地を仕切る畦に関し、特に、隣接する耕地が高度差によって法面を形成する畦の構造を改善するものである。
【０００２】
【従来の技術】
従来の伝統的な田畑の畦は、土堤または石垣に土を盛った構造であり、盛土に根を張って盛土を保持する雑草を必要とする。従って、畦には雑草が繁茂するので畦の草取りが必要であり、夏場における畦の草取り作業は米作りで最も辛い労働であった。また、蒸し暑い気候の中で蚊やブヨに悩まされながら腰をかがめて畦の草を刈る苦痛は、想像以上のものであった。
また、ミミズを捕食するモグラ等の小動物が畦にトンネルを掘ることによって、畦の法面に亀裂が発生し、耕域の漏水の原因となっていた。
【０００３】
さらに、１９７０年代から農耕機械を導入するための圃場整備も相まって、石垣は土堤やコンクリート擁壁に替えられている。この擁壁工事の改善については、特開平９−７８５５５号公報に示される様に、湛水池等の急勾配法面を標準のコンクリートで造成するものがある。また、特開平１−１０２１１６号公報に示される様に、畦の表面を標準のコンクリートで補強する工法がある。
【０００４】
【発明が解決しようとする課題】
上記のような従来の畦の補強構造では、特開平９−７８５５５号公報に示された急勾配法面を標準のコンクリートで造成する構造では、耐久性が高いものの、ミキサー、ポンプ車、および長繊維を高圧水により送出す高圧ポンプ等の設備を必要とし、造成コストが高価となると共に、工期が長くなると言う問題点があった。
【０００５】
また、特開平１−１０２１１６号公報に示された畦の表面を標準のコンクリートで補強する構造では、コンクリーの比重が高いため施工が難しいと云う問題点があった。
【０００６】
また、従来の畦の補強構造では、標準のコンクリートを使用しているため、畦の造成コストが高くなるという問題点があった。
【０００７】
さらに、これらの標準コンクリート構造物は伝統的な農村の景観に調和せず、現境破壊の一因と見なされている。
【０００８】
本発明は、上述のような問題点を解決するためになされたもので、田畑とりわけ高度差のある畦の全体法面を、安い造成コストで短工期にて補強すると共に、従来の土堤や石垣の様に農村の景観にも調和する畦の補強構造、および畦補強用軽量モルタルを提供することを目的とする。
【０００９】
【課題を解決するための手段】
本発明に係る畦補強用軽量モルタルは、真砂土６００〜８００、ポルトランドセメント２００〜３５０、軽量骨材１００〜１５０、土壌硬化剤１９〜２２、水１６０〜２００、以上各重量部からなる配合比をからなるものである。
【００１０】
また、この発明に係る畦の補強構造は、畦の全表面に敷設された補強金網と、この補強金網を固定するアンカーと、前記補強金網および前記アンカーの全表面を覆う前記畦補強用軽量モルタルとを備えたものである。
【００１１】
また、高度差を有する隣接する耕地を仕切る畦において、上段側耕地より掘下げて形成された上段側溝から上段側法面部、頂面部、下段側法面部を経て下段止水溝に至る全表面に、請求項２記載の構造を適用したものである。
【００１２】
【発明の実施の形態】
図１は、この発明の一実施の形態である畦の補強構造を示す斜視図である。図２は、補強工事前の畦の一部分を示す斜視図である。図２において、１は水田等の耕地の境界部分となる畦であり、この畦１の上下の位置に隣接し高度差を有する耕地面２を仕切るものである。３は畦１のほぼ平坦な頂面部、４は上段側法面部、５は下段側法面部であり、雑草やゴミ等が除去されている
【００１３】
次に、畦の補強構造および補強工事の行程を、図１に基づき説明する。
先ず、上段側法面部４に沿って上段の耕地面２から約３００ｍｍ掘り下げて、上段側溝６を形成する。次に、下段側法面部５に沿って下段の耕地面２を約１００ｍｍ以上掘り下げて、止水溝７を形成する。止水溝７の深さは上段側溝６に比べて浅くて良い。
【００１４】
次に、畦１の頂面部３、上段側法面部４および下段側法面部５の全面に金網８を被せ、金網８の一端を上段側溝６の底面に複数箇所アンカー９を打設して固定する。次に、上段側法面部４、頂面部３、および下段側法面部５の順番にアンカー９にて複数箇所固定しながら畦全面を覆って、止水溝６まで敷きつめながらアンカー９で固定する。金網８は素線径２ｍｍ、網目間隔は５０ｍｍ程度が最適である。材質は特に規制されないが、亜鉛メッキの物が施工し易く、耐久性にも優れている。畦の長手方向に金網８を継ぎ足す時は、１００ｍｍ程度をオーバラップさせる。金網８を固定するアンカー９は、特に指定しない。
【００１５】
アンカー９の打設間隔は５００×５００ｍｍ、実施例では直径１０ｍｍ×長さ２００ｍｍのＬ型の物を上段側溝６の底面、頂面部３の中央、下段側法面部５の中央、および止水溝７の底面に夫々複数個打設している。アンカー９の打設間隔は５００ｍｍ程度が必要であるが、アンカー９の保持性能や施工面の凹凸、金網８の剛性等に合わせて適宜選択出来る。
【００１６】
１０は金網８で覆われた畦全面を補強する軽量モルタルであり、この軽量モルタル１０により畦を補強する施工方法につき詳細に説明する。
先ず、金網８をアンカー９止めした畦の全面に、充分に散水する。畦塗りは、ゴム手袋を着用して手作業で軽量モルタル１０を上段側溝６の底面から上段側法面部４に塗り込む。次に、頂面部３→下段側法面部５→止水溝７の順に軽量モルタル１０を延ばしながら均一に塗りこむ。その際、軽量モルタル１０の厚さを３０〜５０ｍｍ程度にすると良い。畦の全面は木鏝を使って仕上げる。
【００１７】
その後、畦の総仕上げは、刷毛仕上げ、箒目仕上げ等の方法で仕上げると良い。又畦の頂面部３に作業機械を走行させる必要がある場合には、走行機械の大きさに合わせて厚さを５０〜１００ｍｍに増やせば良い。その場合は、畦の頂面部３の幅を５００ｍｍ程度以上の平面にすると好都合である。
【００１８】
軽量モルタル１０の全面総仕上げ後、早期にクラック防止の為に養生マット（図示せず）で全面を覆い散水をする。初期のクラック防止の為に養生マットは施工後１週間程度保持して湿潤状態を保つ。
【００１９】
上述の軽量モルタル１０の施工は、平均気温が１５℃を超える季節に行うことが望ましい。（一例として、山陽地方では４〜１０月に行うことが望ましい。）低温と北風が軽量モルタルの硬化には有害である。また、この実施の形態に示す畦の補強構造では完成後の構造物の強度余裕が少ないので、軽量モルタル１０の調製直後に施工する必要がある。そのためには現地で軽量モルタル１０を調合、混練するのが最善である。
【００２０】
次に、この発明の畦の補強構造に用いられる軽量モルタルの製造方法について詳細に説明する。この実施の形態の軽量モルタル１０は、下記に述べる工夫によって、標準コンクリート工法に比較して、ポルトランドセメントの配合比を４２〜７３％減少させることに成功した。
【００２１】
先ず、この実施の形態の軽量モルタル１０は、真砂土を最大限に使用する。真砂土は花崗岩が風化したもので西日本一帯に広く分布しており、海砂に比較して安価で多量に埋蔵されている。軽量骨材はモルタルの比重を下げるために使用するもので、銘柄は特に限定はしない。軽量骨材は建物等に多量に使用されており、細かい気孔を含むガラス質のものでパーライトと呼ばれるものが入手し易く適している。パーライトは断熱、耐火、耐久性に富んでいる。
【００２２】
軽量モルタル１０の調製方法を説明する。真砂土７００ｋｇとパーライト１２０ｋｇをミキサーに投入して１０分間混練する。この混練によって真砂土がさらに破壊されて微細化し、モルタル強度を高める。
【００２３】
次に、ポルトランドセメントを２５０ｋｇ加え、乾燥状態で１０分間以上混練する。この乾燥状態での混練と、前記ポルトランドセメント添加前の混練と最後の水と土壌硬化剤を加えての混練とを合せた長時間混練の相乗作用が本発明の要点である。即ち、ポルトランドセメントの配合比を標準コンクリートモルタルの約３０％迄低下させ、且つ軽量骨材の比率を高めても、真砂土の微粒子によって、施工に必要なモルタルの粘度が得られ、かつ完成品の強度も確保できる。
【００２４】
次に、土壌硬化剤２０ｋｇを水１８０ｋｇに希釈したものを前記の混練ずみの材料に加えて１０分以上更に混練する。これによって粒子が砕け微粒子が増えてモルタルとしての粘度の高い軽量モルタルが得られる。
【００２５】
土壌硬化剤としては、ポルトランドセメントに適合するものであれば種類を問わないが、珪酸ソーダは別名「水ガラス」とも云われ軟弱地盤の改良、止水工事のグラント注入用薬剤として幅広く使用されており、環境規制される様な有害物質を含んでいない。
【００２６】
上述のように構成された畦の補強構造においては、畦の表面が軽量モルタル１０で被覆されている為に、雑草が生えず、かつ耕土の頂面部３まで軽量モルタル１０を進入させているので、ミミズが成育しなくなり、小動物のモグラがトンネルを掘らなくなる。また、猪の好物であるミミズが成育しないので、猪の被害も減少する。また、大雨が降って耕地の水が畦を越えても、浸食による崩壊が発生しないから、畦を見廻りしなくても安心して生活が出来る。また、農業者が高齢化しても、畦法面の草刈はしなくてゆっくりと作物作りが出来る。
【００２７】
さらに、従来の標準コンクリート式に比べて多くの利点が確認出来た。先ず、天然素材の真砂土の性状が大きく影響して表面がつや消し状態であるので、日光の照り返しが少ない。また、色調は施工直後は土色であるが、気候条件に応じて苔などによって褐色ないし緑色に変化する。また、形状も従来の畦の曲線が保持されるので、伝統的な農村の景観を乱さず自然環境にも調和する。さらにまた、材料コストは従来の標準的なモルタルの５０％以下で済む。
【００２８】
【発明の効果】
この発明は、以上説明したように構成されているので、以下に示すような効果を奏する。
【００２９】
この発明の畦補強用軽量モルタルは、真砂土６００〜８００、ポルトランドセメント２００〜３５０、軽量骨材１００〜１５０、土壌硬化剤１９〜２２、水１６０〜２００、以上各重量部からなる配合比で構成したので、従来の標準的なコンクリートに比べて安価に製造できる。
【００３０】
また、この発明の畦の補強構造は、畦の全表面に敷設された補強金網と、この補強金網を固定するアンカーと、前記補強金網および前記アンカーの全表面を覆う前記畦補強用軽量モルタルとを備えるように構築したので、安い造成コストで短工期にて補強できると共に、従来から存在する土堤や石垣の様に農村の景観にも調和する畦の補強構造を提供することができる。
【図面の簡単な説明】
【図１】この発明の一実施の形態である畦の補強構造を示す斜視図である。
【図２】この発明の補強工事前の畦の一部分を示す斜視図である。
【符号の説明】
１　畦、２　耕地面、３　頂面部、４　上段側法面部、５　下段側法面部、６
上段側溝、７　止水溝、８　金網、９　アンカー、１０　軽量モルタル
【図１】
2004052528.tif 000003
【図２】
2004052528.tif 000004